(57)【要約】【課題】  閉じて短縮状態にした折畳み傘、及び閉じて伸長状態のままの折畳み傘を、それぞれと対応して設けた第２収納部及び第１収納部に対して、手間を掛けることなく簡単に出し入れすることができ、第２収納部に閉じて短縮状態で収納された折畳み傘が傘袋から抜け出ないようにすることができる傘袋を提供すること。【解決手段】  それぞれが閉じた折畳み傘１４を出し入れすることができる開口部を有する第１収納部１６及び第２収納部１７を備え、第１収納部１６は、閉じた折畳み傘１４を伸長状態で収納できる長さであって、第２収納部１７は、閉じた折畳み傘１４を短縮状態で収納できる長さであり、第１収納部１６を折り曲げることによって、第２収納部１７の開口部２２を閉じることができ、この折り曲げた状態で第１収納部１６を留めるための留め部１８を備えた構成。【選択図】      図２
2008018064.tif 000002
【特許請求の範囲】
【請求項１】
それぞれが閉じた折畳み傘を出し入れすることができる開口部を有する第１収納部及び第２収納部を備え、
上記第１収納部は、閉じた折畳み傘を伸長状態で収納できる長さであって、
上記第２収納部は、折り畳んだ折畳み傘を短縮状態で収納できる長さであり、
上記第１収納部を折り曲げることによって、上記第２収納部の開口部を閉じることができ、この折り曲げた状態で上記第１収納部を留めるための留め手段を備えることを特徴とする傘袋。
【請求項２】
上記第１収納部の底部と、上記第２収納部の底部とを互いに略一致させて形成したことを特徴とする請求項１記載の傘袋。
【請求項３】
上記留め手段は、紐状体であり、上記留め手段の一端部が上記第１収納部と結合していることを特徴とする請求項１又は２記載の傘袋。
【請求項４】
上記留め手段の他端部を上記第１収納部又は上記第２収納部に係止するための係止具を設けたことを特徴とする請求項３記載の傘袋。
【請求項５】
上記係止具は、雄ホックと雌ホックとを備えることを特徴とする請求項４記載の傘袋。
【請求項６】
上記第１収納部に収納した伸長状態の折畳み傘が上記第１収納部の開口部から抜け出すことを防止する抜出し防止手段を設けたことを特徴とする請求項１乃至５のいずれかに記載の傘袋。
【請求項７】
上記第１収納部及び上記第２収納部は、撥水性を有することを特徴とする請求項１乃至６のいずれかに記載の傘袋。
【請求項８】
上記第１収納部又は上記第２収納部の側面に、上記第２収納部よりも長さが短い第３収納部を設けたことを特徴とする請求項１乃至７のいずれかに記載の傘袋。
【請求項９】
上記第１収納部の内部と、上記第２収納部の内部とが互いに連通し、それぞれの底部が上記第１収納部と上記第２収納部とで共用されていることを特徴とする請求項１乃至８のいずれかに記載の傘袋。
【発明の詳細な説明】
【技術分野】
【０００１】
本発明は、閉じた折畳み傘を伸長状態で収納できる第１収納部と、閉じた折畳み傘を短縮状態で収納できる第２収納部とを備える傘袋に関する。
【背景技術】
【０００２】
従来の折畳み傘の傘袋には、折り畳んで短縮状態にして収納可能であるが、傘を使用した後で、閉じて伸ばしたままの状態で収納することができないものがあった。そのため、折り畳み傘を使用した後は、傘を折り畳んで短縮させて、傘袋に収納する必要があり、非常に煩雑となっていた。従って、折り畳み傘を使用した後は、傘を折り畳まずに保持することが多く、傘袋は使用されないことが多かった。
【０００３】
そこで、従来より折畳み傘を折り畳んで短縮状態にしたもの、及び閉じて伸ばした状態のものを収納可能な傘袋が提案されている。
【０００４】
このような傘袋には、例えば図８（ａ）〜（ｃ）に示すように、収納袋部２と、この収納袋部に収納可能な傘袋部３とを有する傘袋１がある（特許文献１参照）。
【０００５】
この傘袋１を使用して折り畳んで短縮状態にした折畳み傘４を収納するときは、図８（ａ）に示すように、傘袋部３を小さく折り畳んで収納袋部２に入れた上で、収納袋部２にこの折り畳んで短縮させた折畳み傘４を収納する。また、閉じて伸長状態の折畳み傘４を収納するときは、図８（ｂ）、（ｃ）に示すように、収納袋部２に収納されている傘袋部３を収納袋部２の外に出して、この外に出した傘袋部３内に、閉じて伸長状態の傘４を収納する。
【０００６】
また別の従来例として、図９（ａ）、（ｂ）に示すように、傘袋５の一端に形成された傘出し入れ部６に雄ホック８を設け、傘袋５の他端に雌ホック９を設けた傘袋５がある。（特許文献２参照）
この傘袋５によると、図９（ａ）に示すように、雌ホック９に雄ホック８（この雌ホック９及び雄ホック８は第１ホック７である。）を掛けていない状態で、閉じて伸長状態にした折畳み傘１０を傘袋５に収納することができる。また、図９（ｂ）に示すように、雌ホック９に雄ホック８を掛けた状態で、折り畳んで短縮状態にした折畳み傘１０を傘袋５に収納することができる。
【特許文献１】特開平１０−１９２０２３
【特許文献２】実公平４−１７０５０
【発明の開示】
【発明が解決しようとする課題】
【０００７】
しかし、図８（ａ）〜（ｃ）に示す従来の傘袋１では、収納袋部２に傘袋部３を折り畳んで収納したり、収納袋部２から傘袋部３を取り出したりする作業が非常に煩雑である。例えば降雨時に傘を片手に持ちながら収納袋部２に傘袋部３を折り畳んで収納したり、反対に収納袋部２から傘袋部３を取り出したりする作業を行うのは、困難である。
【０００８】
また、図９（ａ）、（ｂ）に示す従来の傘袋５は、この傘袋５を２つ折りにした状態を保持するための専用の第１ホック７の他に、傘袋５の傘出し入れ部６を縮径するための専用の第２ホック１１が必要であり、これら第１及び第２ホック７、１１の掛け外しに手間が掛かる。更に、図９（ｂ）に示すように、折り畳んで短縮状態にして傘袋５に収納した状態において、掛けておいた第１ホック７が外れてしまうと、傘袋５の中に折り畳んで短縮状態にした傘１０が傘袋５の底の方に落ち込んでしまうことがあり、この落ち込んだ傘１０を取り出すのに手間が掛かる。
【０００９】
このように、図８及び図９の傘袋１、５では、短縮状態及び伸長状態の折畳み傘を傘袋に対して収納したり、取り出したりするのに手間が掛かるので、使用されないことが多く、そのために、傘袋を紛失することが多くあった。
【００１０】
本発明は、上記のような課題を解決するためになされたものであり、閉じて短縮状態にした折畳み傘、及び閉じて伸長状態のままの折畳み傘を、それぞれと対応して設けた第２収納部及び第１収納部に対して、手間を掛けることなく簡単に出し入れすることができ、第２収納部に折り畳んで短縮状態で収納された折畳み傘が傘袋から抜け出ないようにすることができる傘袋を提供することである。
【課題を解決するための手段】
【００１１】
上記課題を解決するための本発明に係る傘袋は、それぞれが閉じた折畳み傘を出し入れすることができる開口部を有する第１収納部及び第２収納部を備え、第１収納部は、閉じた折畳み傘を伸長状態で収納できる長さであって、第２収納部は、折り畳んだ折畳み傘を短縮状態で収納できる長さであり、第１収納部を折り曲げることによって、第２収納部の開口部を閉じることができ、この折り曲げた状態で第１収納部を留めるための留め手段を備えてなるものである。
【００１２】
本発明に係る傘袋において、今、折り畳まれて短縮状態となっている折畳み傘が第２収納部に収納されており、第１収納部が折り曲げられて第２収納部の開口部が閉じられ、この折り曲げられた状態で第１収納部が留め手段によって留められているとする。次に、第２収納部に収納されている短縮状態の折り畳み傘を取り出すときは、留め手段を外せばよい。これによって、短縮状態で折り畳まれた傘を第２収納部の開口部から取り出すことができる。そして、傘を使用した後の閉じて伸長状態の傘は、第１収納部の開口部から挿入して第１収納部に収納することができる。次に、この第１収納部に収納されている伸長状態の傘は、第１収納部から取り出して折り畳んで短縮状態にして、第２収納部の開口部から挿入して第２収納部に収納することができる。そして、第１収納部を折り曲げることによって、第２収納部の開口部を閉じた状態にして第１収納部を留め手段でこの傘袋に対して留める。これによって、第２収納部に収納されている傘が、その開口部から抜け出ないようにすることができる。
【００１３】
また、第１収納部の底部と、第２収納部の底部とを互いに略一致させて形成するのが好ましい。そうすれば、第１収納部及び第２収納部いずれか一方の底部が、他方の底部の下方から延びる長さを短くすることができるし無くすことができる。これによって、傘袋をよりコンパクトに折り畳むことができる。
【００１４】
更に、留め手段は、紐状体であり、この留め手段の一端部が第１収納部と結合する構成とするのが好ましい。そうすれば、留め手段を第１収納部及び第２収納部の上から巻き付けることにより、第１収納部を折り曲げた状態に簡単に留められるようにすることができる。
【００１５】
そして、留め手段の他端部を第１収納部又は第２収納部に係止するための係止具を設けるのが好ましい。この係止具を用いて、折り曲げた第１収納部の開口側部を、確実にかつ速やかに、第１収納部及び第２収納部に係止することができるし、この係止状態を解除できる。
【００１６】
更に、係止具は、雄ホックと雌ホックとを備えるようにすれば、汎用的で安価な部材を用いることができ、コストの低減に寄与し、補修も容易となる。
【００１７】
そして、第１収納部に収納した伸長状態の折畳み傘が、第１収納部の開口部から抜け出すことを防止する抜出し防止手段を設けることが好ましい。そうすれば、第１収納部に収納した伸長状態の折畳み傘が、この第１収納部から抜け出すことを防止することができる。
【００１８】
また、第１収納部及び第２収納部は、撥水性を有するようにするのが好ましい。そうすれば、濡れた折畳み傘を傘袋に収納しても、雨滴が傘袋の外に滲み出ないようにすることができる。また、傘袋の外の雨滴が傘袋の中に浸入することを防ぐことができる。
【００１９】
そして、第１収納部又は第２収納部の側面に、第２収納部よりも長さが短い第３収納部を設けてもよい。そうすれば、第２収納部又は第３収納部に応じた長さの短縮させた折畳み傘を収納することができる。
【００２０】
また、第１収納部の内部と、第２収納部の内部とが互いに連通し、それぞれの底部が第１収納部と第２収納部とで共用されていてもよい。そうすれば傘袋を軽量化することができ、しかも製造コストの低減に寄与する。
【発明の効果】
【００２１】
本発明によれば、第１収納部を折り曲げて留め手段で留めることによって、極めて簡単に傘袋を短縮状態の傘の長さに調整できると共に、この折り曲げ部分によって第２収納部に収納されている折り畳まれた傘が、第２収納部の開口部から抜け出ないようにすることができる。そして、留め手段を外すことによって、極めて簡単に折り畳まれた傘を第２収納部から取り出すことができる。そして、留め手段を外すことによって、閉じた伸長状態の傘を、極めて簡単に第１収納部に収納することができる。
【００２２】
その結果、降雨時等において傘を片手に持っている状態であっても、短縮状態及び伸長状態どちらの状態の折畳み傘でも、手間をかけることなく容易に傘袋に対して出し入れすることができる。
【００２３】
このように、折畳み傘を極めて簡単に傘袋に対して出し入れできるため、傘袋を有効に利用することができ、これによって傘袋の紛失も防止できる。
【発明を実施するための最良の形態】
【００２４】
以下、本願発明の実施形態を、添付図面を参照して説明する。
【００２５】
図１は本願発明の傘袋の第１実施形態を示しており、（ａ）はその斜視図、（ｂ）はその正面図、（ｃ）はその背面図、（ｄ）はそのＡ−Ａ断面図である。
【００２６】
図１（ａ）〜（ｄ）に示すように、第１実施形態に係る傘袋１５は、第１収納部１６と、第２収納部１７と、留め部１８（留め手段）とを備え、第１収納部１６は、第１布地部１９と第２布地部２０とを互いに縫合して袋状に形成したものである。また、第２収納部１７は、第１布地部１９に対して第３布地部２１を縫合して袋状に形成したものである。なお、図１（ｄ）において、縦方向に伸びる３重の２点鎖線は、第１布地部１９と第２布地部２０及び第３布地部２１との縫合部を示したものである。
【００２７】
第１布地部１９、第２布地部２０、第３布地部２１、及び留め部１８は、撥水性を有する布地が用いられている。ただし、第１〜第３布地部１９、２０、２１、及び留め部１８は、撥水性を有しない布地を用いて、その表面に撥水加工を施してもよい。また、これらを例えばビニール製のシートで形成してもよい。更に、第１〜第３布地部１９、２０、２１は、縫合せずに、互いに接着剤で接着してもよい。これによって、接合部からの水漏れを防止できる。このように第１及び第２収納部１６、１７が撥水性の機能を有することによって、濡れた折畳み傘１４を傘袋１５に収納しても、雨滴が傘袋１５の外に滲まないようにすることができる。また、傘袋１５の外の雨滴が傘袋１５の中に侵入することを防ぐことができる。
【００２８】
第１収納部１６及び第２収納部１７は、図２及び図３に示すように、それぞれが閉じた折畳み傘１４を出し入れすることができる開口部２２、２３を有する袋状体であり、側面２４、２５及び底部２６、２７を有する。
【００２９】
第１収納部１６は、図３（ａ）、（ｂ）、（ｃ）に示すように、閉じた折畳み傘１４を伸長状態で収納できる長さ及び内径に形成されている。そして、第２収納部１７は、図２に示すように、折り畳んだ折畳み傘１４を短縮状態で収納できる長さ及び内径に形成されている。従って、第１〜第３布地部１９、２０、２１は、第１及び第２収納部１６、１７を形成できるように、所定の形状に既定されている。
【００３０】
なお、第１布地部１９と第２布地部２０は、略同一の寸法及び形状である。そして、第３布地部２１は、第１及び第２布地部２０の約１／２の長さであり、略同一の横幅である。そして、図１（ｄ）に示すように、第１収納部１６の底部２６と、第２収納部１７の底部２７とが互いに略一致するように、第３布地部２１を第１布地部１９に縫合してある。
【００３１】
留め部１８は、図２（ａ）〜（ｃ）に示すように、紐状体であり、その一端が第１収納部１６の開口縁部の外面に縫合されて結合している。そして、この留め部１８の他端に雌ホック２８が設けられ、この雌ホック２８と係合される雄ホック２９が第１収納部１６の開口縁部の外面に設けられている。この雌ホック２８及び雄ホック２９が係止具３０である。また、留め部１８は、図２（ａ）〜（ｃ）に示すように、折り畳んで短縮状態にした折畳み傘１４を第２収納部１７に収納し、第１収納部１６を折り曲げた状態にしてこれら傘１４及び傘袋１５を約１周半巻き付けて、係止具３０で留めることができる長さに形成されている。
【００３２】
次に、上記のように構成された傘袋１５の使用例を、図２及び図３を参照して説明する。なお、この傘袋１５に収納される折畳み傘１４は、例えば２段式折畳み傘である。今、図２（ｃ）に示すように、折り畳まれて短縮状態となっている折畳み傘１４が第２収納部１７に収納されており、第１収納部１６が折り曲げられて第２収納部１７の開口部２３が閉じられ、この折り曲げられた状態で、第１収納部１６が留め部１８によって留められているとする。留め部１８は、傘１４が第２収納部１７に収納されて、第１収納部１６が折り曲げられた傘袋１５の外周に巻き付けてあり、そして、係止具３０の雄ホック２９と雌ホック２８とが互いに係合していることによって、第１収納部１６の開口部側端部を折り曲げ状態に保持している。
【００３３】
図２（ｃ）では、傘１４の手提げ紐３１が折り曲げ部分３２の内側から外側に導出されており、この手提げ紐３１を手で持つことによって、傘袋１５に収納された折畳み傘１４を簡単に持ち運ぶことができる。
【００３４】
次に、第２収納部１７に収納されている短縮状態の折り畳み傘１４を取り出すときは、図２（ｂ）に示すように、係止具３０を外して留め部１８の巻き付けを解けばよい。これによって、図２（ａ）に示すように、短縮状態で折り畳まれた傘１４を、第２収納部１７の開口部２３から簡単に取り出すことができる。
【００３５】
次に、傘１４を使用した後で、閉じて伸長状態の傘１４をこの傘袋１５に収納するときは、図３（ａ）〜（ｃ）に示すように、傘１４の先端部を第１収納部１６の開口部２２から挿入すればよい。そして、この第１収納部１６に収納されている伸長状態の傘１４は、図２（ａ）〜（ｃ）に示すように、第１収納部１６から取り出して折り畳んで短縮状態にして、第２収納部１７の開口部２３から挿入して第２収納部１７に収納することができる。そして、第１収納部１６を、第２収納部１７の開口部２３を閉じる方向に折り曲げることによって、第２収納部１７の開口部２３を閉じた状態にして、上記と同様に、第１収納部１６を留め部１８でこの傘袋１５に対して留める。これによって、第２収納部１７に収納されている傘１４が、その開口部２３から抜け出ないようにすることができる。
【００３６】
このように、図２及び図３に示す傘袋１５によると、第１収納部１６を折り曲げて留め部１８で留めることによって、極めて簡単に傘袋１５を短縮状態の傘１４の長さに調整できると共に、この折り曲げ部分３２によって第２収納部１７に収納されている折り畳まれた傘１４が、第２収納部１７の開口部２３から抜け出ないようにすることができる。そして、留め部１８を外すことによって、極めて簡単に折り畳まれた傘１４を第２収納部１７から取り出すことができる。また、留め部１８を外すことによって、閉じた伸長状態の傘１４を第１収納部１６に、極めて簡単に収納することができる。
【００３７】
その結果、降雨時等において、傘を片手に持っている状態であっても、短縮状態及び伸長状態どちらの状態の折畳み傘１４でも、手間をかけることなく容易に傘袋１５に対して出し入れすることができる。
【００３８】
このように、折畳み傘１４を極めて簡単に傘袋１５に対して出し入れできるため、傘袋１５を有効に利用することができ、これによって傘袋１５の紛失も防止できる。
【００３９】
また、図２（ｃ）に示すように、第１収納部１６の底部２６と、第２収納部１７の底部２７とを互いに略一致させて形成しているので、第１収納部１６及び第２収納部１７のいずれか一方の底部が、他方の底部の下方から延びる長さを短くすることができるし無くすことができる。これによって、傘袋１５をよりコンパクトに折り畳むことができる。
【００４０】
更に、留め部１８は、図２（ａ）〜（ｃ）に示すように、紐状体であり、この留め部１８の一端部が第１収納部１６と結合しているので、留め部１８を第１収納部１６及び第２収納部１７の上から巻き付けることにより、第１収納部１６を折り曲げた状態に簡単に留められるようにすることができる。第１収納部１６を折り曲げた状態に、留め部１８によって留めておくことによって、第２収納部１７の開口部２３を、この第１収納部１６の折り曲げ部分３２で閉じることができ、これによって、第２収納部１７に収納されている短縮状態の傘１４が、その開口部２３から抜け出ることを確実に防止することができる。
【００４１】
更に、係止具３０は、図２（ａ）〜（ｃ）に示すように、雄ホック２９と雌ホック２８とで構成してあるので、この係止具３０を使用することによって、確実に、かつ速やかに、折り曲げた第１収納部１６の開口部２２側をこの傘袋１５に対して係止することができるし、この係止状態を解除することができる。また、雄ホック２９及び雌ホック２８は、汎用的で安価であるので、コストの低減に寄与し、補修も容易となる。
【００４２】
そして、留め部１８は、図３（ｃ）に示すように、閉じた伸長状態の折畳み傘１４を第１収納部１６に収納した状態で、留め部１８の端部に設けた雌ホック２８を、第１収納部１６の開口縁部外面に設けた雄ホック２９に係合させることによって、傘袋１５の手提げ紐として使用することができる。
【００４３】
次に、図４は、第１収納部１６に収納した伸長状態の折畳み傘１４が、第１収納部１６の開口部２２から抜け出すことを防止する抜出し防止手段を設けた例を示す。同図に示すように、傘１４の巻き留め紐３６の端部に、例えば面ファスナ３７が取り付けられている場合は、第１収納部１６の開口縁部の外面に面ファスナ３８を取り付ける。このようにすると、伸長状態の傘１４が第１収納部１６に収納されている状態で、巻き留め紐３６の面ファスナ３７を、傘袋１５の面ファスナ３８に係合させておくことによって、傘１４が第１収納部１６から抜け出ないようにすることができる。なお、傘１４の巻き留め紐３６の端部に、例えばホックが取り付けられている場合は、第１収納部１６の開口部の外面にそれと係合自在なホックを取り付けておけばよい。なお、この面ファスナ３７、３８は図１〜図３等の他の図では省略している。
【００４４】
次に、図５（ａ）、（ｂ）を参照して、本発明に係る傘袋の第２実施形態を説明する。この図５（ａ）、（ｂ）に示す第２実施形態の傘袋４０と、図２（ａ）、（ｂ）、（ｃ）に示す第１実施形態の傘袋１５とが相違するところは、第１実施形態の傘袋１５は、２段式折畳み傘１４を収納できるものであり、第１収納部１６が第２収納部１７の約２倍の長さであるのに対して、第２実施形態の傘袋４０は、３段式折畳み傘４１を収納できるものであり、第１収納部１６が第２収納部４２の約３倍の長さとしたところである。これ以外は、第１実施形態と同等であるので、同等部分を同一の図面符号で示し、それらの説明を省略する。
【００４５】
この実施形態の傘袋４０に、折り畳んで短縮させた折畳み傘１４を収納するときは、図５（ａ）、（ｂ）に示すように、この短縮状態の折畳み傘１４を第２収納部４２に収納して、第１収納部１６を、第２収納部４２の開口部２３を閉じる方向に折り曲げて、更にこの第１収納部１６の開口側部を、傘４１の先端部と対応する箇所で折り曲げて上方に向かわせる。そして、第１実施形態と同様に、この第１収納部１６の開口側部を留め部１８で留めればよい。
【００４６】
次に、図６（ａ）〜（ｄ）を参照して、本発明に係る傘袋の第３実施形態を説明する。この図６（ａ）〜（ｄ）に示す第３実施形態の傘袋４５と、図２（ａ）〜（ｃ）に示す第１実施形態の傘袋１５とが相違するところは、第１実施形態の傘袋１５は、図２（ｃ）に示すように、留め部１８を紐状体で形成して、第１収納部１６を折り曲げた状態の傘袋１５にこの留め部１８を巻き付けて、雄ホック２９と雌ホック２８とを係合させて留め部１８を固定するようにしたのに対して、第３実施形態の傘袋４５は、図６（ｃ）に示すように、留め部１８を一対の面ファスナ４６、４７で形成して、この一対の面ファスナ４６、４７によって、折り曲げた状態の第１収納部４９の開口側部を傘袋４５に留めるようにしたところである。
【００４７】
また、第１実施形態の傘袋１５は、図１（ｄ）に示すように、第１収納部１６と、第２収納部１７とが第１布地部１９によって仕切られているのに対して、第３実施形態の傘袋４５は、図６（ｂ）に示すように、第１収納部４９の内部と、第２収納部５０の内部とが互いに連通し、それぞれの底部５１、５２が共用されているところで両者が相違している。なお、図６（ｂ）において、縦方向に伸びる３重の２点鎖線は、第１布地部５３と第２布地部２０及び第３布地部２１との縫合部を示したものである。
【００４８】
更に、第１実施形態の傘袋１５は、図３（ｃ）に示すように、留め部１８を紐状体とすることによって、この留め部１８を傘袋１５の手提げ紐として使用できるようにしたのに対して、第３実施形態の傘袋４５は、図６（ｄ）に示すように、第１収納部４９の開口縁部に挿通孔４８を形成し、この挿通孔４８に傘１４の手提げ紐３１を通してこの手提げ紐３１で、伸長状態の傘１４が収容されている傘袋４５を提げれるようにしたところでも両者が相違している。これ以外は、第１実施形態と同等であるので、同等部分を同一の図面符号で示し、それらの説明を省略する。
【００４９】
つまり、図６（ｃ）に示すように、留め部５４（留め手段）である一対の面ファスナ４６、４７の一方４６が、第１収納部４９の開口縁部の外面に取り付けられ、他方の面ファスナ４７が、第２収納部５０の側面の外面に取り付けられている。これによって、第１収納部４９の開口側部を簡単に第２収納部５０の側面に係合させることができるし、両者を引き離すことができる。
【００５０】
そして、図６（ｂ）に示すように、第１収納部４９の内部と、第２収納部５０の内部とが互いに連通し、それぞれの底部５１、５２を共用する構成とすることによって、第１布地部５３の一部を省略でき、よって傘袋４５を軽量にすることができ、しかも製造コストを低減することができる。
【００５１】
次に、図７を参照して、本発明に係る傘袋の第４実施形態を説明する。この図７に示す第４実施形態の傘袋５５は、図２（ａ）に示す第１実施形態の傘袋１５の第２収納部１７を形成する第３布地部２１の外面に、第２収納部１７よりも長さが短い第四布地部５７を縫合して第３収納部５６を設けたものである。この第３収納部５６は、第２実施形態の第２収納部４２と同じ長さのものである。これによって、この第３収納部５６には、例えば短縮状態にした３段式折畳み傘４１を収納することができる。
【００５２】
この図７に示す傘袋５５によると、２段式及び３段式折畳み傘のいずれにも使用することができる。勿論、第３収納部５６は、短縮した３段式折畳み傘４１を収納できる寸法にしたが、短縮した４段式折畳み傘を収納できる寸法にしてもよい。
【００５３】
なお、これら第１、第２及び第３収納部１６、１７、５６のそれぞれの底部２６、２７、５８は、互いに略一致する箇所に形成されている。これ以外は、第１実施形態と同等であるので、同等部分を同一の図面符号で示し、それらの説明を省略する。
【００５４】
また、上記第１〜第４実施形態においては、留め手段を紐状体の留め部１８や面ファスナ４６、４７としたが、これらに限られるものではなく、これに代えて、ボタン留めやホック留めであってもよい。
【００５５】
更に、第１〜第４実施形態においては、抜出し防止手段として、図４に示すように、面ファスナ３７、３８やホックを使用したが、これ以外のものを使用してもよい。
【００５６】
そして、上記実施形態では、図１に示すように、係止具３０として雌ホック２８及び雄ホック２９としたが、これ以外のものを使用してもよい。
【産業上の利用可能性】
【００５７】
本発明に係る傘袋は、閉じて短縮状態にした折畳み傘、及び閉じて伸長状態のままの折畳み傘を、それぞれと対応して設けた第２収納部及び第１収納部に対して、手間を掛けることなく簡単に出し入れすることができ、第２収納部に閉じて短縮状態で収納された折畳み傘が傘袋から抜け出ないようにする優れた効果を有し、このような傘袋に適用するのに適している。
【図面の簡単な説明】
【００５８】
【図１】この発明の第１実施形態に係る傘袋を示す図であり、（ａ）はその斜視図、（ｂ）はその正面図、（ｃ）はその背面図、（ｄ）はＡ−Ａ断面図である。
【図２】同第１実施形態に係る傘袋の使用態様の一例を示す図であり、（ａ）は短縮状態の折畳み傘を第２収納部に収納する前の状態を示す斜視図、（ｂ）は短縮状態の折畳み傘を第２収納部に収納した状態を示す斜視図、（ｃ）は第１収納部の開口側部を折り曲げて留め部を傘袋の全体に巻き付けた状態を示す斜視図である。
【図３】同第１実施形態に係る傘袋の使用態様の一例を示す図であり、（ａ）は伸長状態の折畳み傘を第１収納部に収納する前の状態を示す図、（ｂ）は留め部の雌ホックを雄ホックに係合させる状態を示す斜視図、（ｃ）は留め部を手提げ紐として使用する状態を示す斜視図である。
【図４】同第１実施形態の傘袋に対する折畳み傘の抜出し防止手段を示す部分斜視図である。
【図５】同発明の第２実施形態に係る傘袋を示す図であり、（ａ）は短縮状態の折畳み傘を第２収納部に収納した状態を示す斜視図、（ｂ）は第１収納部の開口側部を折り曲げて留め部を傘袋の全体に巻き付けた状態を示す斜視図である。
【図６】同発明の第３実施形態に係る傘袋を示す図であり、（ａ）はその斜視図、（ｂ）はその縦断面図、（ｃ）は短縮状態の折畳み傘を第２収納部に収納した状態を示す図、（ｄ）は伸長状態の折畳み傘を第１収納部に収納した状態を示す斜視図である。
【図７】同発明の第４実施形態に係る傘袋を示す斜視図である。
【図８】従来例の傘袋を示す図であり、（ａ）は収納袋部内に傘袋部を収納した状態を示す斜視図、（ｂ）は収納袋部から傘袋部を取り出した状態を示す斜視図である。
【図９】従来例の他の傘袋を示す図であり、（ａ）は伸長状態の折畳み傘を収納した状態を示す斜視図、（ｂ）は短縮状態の折畳み傘を収納した状態を示す斜視図である。
【符号の説明】
【００５９】
１４  折畳み傘
１５  傘袋
１６  第１収納部
１７  第２収納部
１８  留め部（留め手段）
１９  第１布地部
２０  第２布地部
２１  第３布地部
２２  （第１収納部の）開口部
２３  （第２収納部の）開口部
２４  （第１収納部の）側面
２５  （第２収納部の）側面
２６  （第１収納部の）底部
２７  （第２収納部の）底部
２８  （係止具の）雌ホック
２９  （係止部の）雄ホック
３０  係止具
３１  （折畳み傘の）手提げ紐
３２  （第１収納部の）折り曲げ部分
３６  （折畳み傘の）巻き留め紐
３７  （巻き留め紐の）面ファスナ
３８  （傘袋の）面ファスナ
５６  第３収納部
【図１】
2008018064.tif 000003
【図２】
2008018064.tif 000004
【図３】
2008018064.tif 000005
【図４】
2008018064.tif 000006
【図５】
2008018064.tif 000007
【図６】
2008018064.tif 000008
【図７】
2008018064.tif 000009
【図８】
2008018064.tif 000010
【図９】
2008018064.tif 000011